(57)【特許請求の範囲】
【請求項１】
親骨の先端部に回動可能に連結した折畳み骨を設け、下ロクロと親骨とに回動可能に支骨を連結して、下ロクロの摺動操作によって開閉する２段折り畳み傘において、該支骨を屈曲した形状、若しくは屈折可能に構成し、駆動骨を折畳み骨の上記連結点から親骨側に向けた延長部に枢着すると共にその他端を上記支骨の親骨側の箇所に回動可能に枢着してリンク機構を構成し、下ロクロの摺動操作による支骨又は親骨の回動を拡大した折畳み骨の回動操作を行い、その傘を開く際の回動角度を折畳み骨先端に傘布の張力が働く以前に予め折畳み骨と傘軸とのなす角度が９０°を越えるようにしてなることを特徴とする、２段折り畳み傘。
【請求項２】
上記駆動骨を弾発性を有する材料とし、又は弾発性部材を駆動骨に組み込み，或いは別途設けることにより、少なくとも開傘操作の後段階において傘を開く操作によってこれらに反発力を蓄え、その反発力によって傘を閉じる際の初動操作を容易にしたことを特徴とする、請求項１記載の２段折り畳み傘。
【発明の詳細な説明】
【０００１】
【発明が属する技術分野】
本発明は、２段折り畳み傘における折り畳み機構に関する。
【０００２】
【従来の技術】
従来の２段折畳み傘は、一旦展開した傘を折り畳む際に、逐一傘骨を折り畳む操作を行い、その上で傘布を折り畳む必要があった。
この操作は雨の中で使用して濡れた後であるため、手を濡らすなどして煩わしく、概ね傘を窄めたままの状態で持ち歩き、あるいはそのまま保管することが多いが、このような状態では持ち歩く際にも折り畳み傘としての利便性は失われ、反って不自由なものであった。
【０００３】
これに対して、３段に折り畳む構造としてスプリングの弾発力を利用して傘を拡げると共に、折畳む際にもスプリングにより傘骨を折畳む機構を実現したものがあるが、機構上折畳まれた傘布の濡れた面が外側になるため、傘布に触れた手や衣服が濡れることとなり、また、３段に折畳まれた傘骨がスプリングを仕込んだ機構と共に重なり合って嵩張るため、折角のコンパクトな利便性を損なうことに難点がある。
【０００４】
折畳み傘において、その傘の開閉操作によって単純に傘骨の展開、折畳みを行うことができれば良いのであるが、傘布を傘骨上に展張した洋傘は、傘を開いた状態で傘骨によって展張された傘布がその張力によって傘骨を湾曲せしめてその開いた状態での形状を堅牢に保つ機能を有する。この作用は、折畳み傘であっても同様であって、このため、傘の開閉操作に連動させて傘骨の折畳み機構を働かせようとすると、傘の開閉操作の途中でこの張力が傘骨の折り畳み機構に強い抵抗力を及ぼし、傘を開く際には上半分が窄まったままで展開したり、また、折畳む際にも連動機構に強い抵抗を与えて円滑な操作に支障をきたすこととなる。
【０００５】
すなわち、傘布は平面的な円形形状ではなく、立体的に湾曲した曲面から構成されているのであって、一方傘の骨組みは放射状に展開した傘骨が直線的に延長した形状とされていて、傘が開いた状態ではその周縁部では傘布の周長に対して傘骨先端の露先の描く周長のほうが大きい。このため、傘が開いた状態では、傘骨先端は展張した傘布に周縁から絞り込まれて湾曲した状態となる。図１０は、このような傘布を設けないで傘を開いた状態と傘布を張って展開した状態とを示す。
【０００６】
したがって、２段折り畳み傘において、予め折り畳まれた状態から傘を広げる操作に連動させてスムーズに傘を開げようとすると図１１に示すように、支骨３０によって親骨を押し上げる操作と共に折畳み骨４０が外側に向かって開いて行く必要があるが、折畳み骨先端の隣り合う露先Ｒの間隔が、露先の間の予め設定された傘布の幅と等しくなった時点で傘布外周長は最大となるから、露先は傘布の張力によってそれ以上外径方向に広がることはできず、湾曲することとなる。
【０００７】
すなわち、傘布の伸びなどを無視すると、図１１において傘骨が展開してその傘布を固定した露先の外周が傘布の外周と等しくなったとき、図１１の一点鎖線の位置になるが、そのときの傘軸１０と親骨２０とのなす角度α、及び傘軸と折畳み骨４０とのなす角度γに対して、折畳み骨と親骨とのなす角度βは、β＝α＋γの関係にある。そして、傘布の張力のように露先Ｒから支骨に傘軸方向に働く力があると、γが９０°を境に±何れか応じてそれぞれ反対方向に分力が働くため、γが９０°よりも小さいと傘布の張力は折畳み骨先端を引き戻す方向に働いて折畳み骨は折り畳まれ、また、γが９０°より大きいと反対に外側に開く方向に働く。
【０００８】
したがって、折り畳み状態から傘を開く操作によってスムーズに展開するためには、この時点においてγが予め９０°を超えるようにしなければならない。また、傘を折り畳む際には、これとは逆となるが、実際には傘布の張力は傘を窄めて折り畳む方向にしか作用しないから、傘布の張力は問題とはならない。
さらにこのような折り畳み傘の展開、折り畳み操作においては、傘布を展張する折畳み骨を親骨に対して１８０度回動して折畳まなければならない。このため、折り畳み骨を単純なクランク機構によって回動させようとすると、回動操作の両端において操作する力の作用方向が正反対となる上・下死点の問題を生じ、傘を開閉する初動操作が困難となる。
【０００９】
【発明が解決しようとする課題】
本発明は、上記の問題に鑑み、２段折り畳み傘においてその特徴を損なうことなく、下ロクロの摺動操作による傘の開閉操作に連動して円滑に傘を開げ，且つ窄めて折り畳むことのできる構造とする。
【００１０】
【課題を解決するための手段】
本発明は、親骨の先端部に回動可能に連結した折畳み骨を設け、下ロクロと親骨とに回動可能に支骨を連結して、下ロクロの摺動操作によって開閉する２段折り畳み傘において、
折畳み骨の親骨との上記連結点の親骨側延長部に折畳み骨を回動する駆動骨の一端を枢着したリンク機構により、下ロクロの摺動操作による支骨又は親骨の回動を拡大して折畳み骨の回動操作を行い、その傘を開く際の回動角度を折畳み骨先端に傘布の張力が働く以前に予め折畳み骨と傘軸とのなす角度が９０°を越えるようにしてなる２段折り畳み傘である。
【００１１】
そして上記リンク機構をなす駆動骨を操作する機構として、駆動骨を親骨と支骨とを連結すると共に支骨に対して摺動可能とした補助骨の中間に回動可能に枢着したもの、
或いは、上記支骨を屈曲した形状、若しくは屈折可能に構成し、その親骨側の位置に上記リンク機構をなす駆動骨を回動可能に枢着したことを特徴とする、又は、上記リンク機構をなす駆動骨を支骨又は上ロクロ下部に設けた固定ロクロに回動可能に枢着すると共に、駆動骨を伸縮可能な構造として折畳み骨の駆動操作に伴う駆動骨の動作長を調整してなるものである。
【００１２】
さらにこれらの構造において、上記駆動骨を弾発性を有する材料とし、又は弾発性部材を駆動骨に組み込み，或いは別途設けることにより、少なくとも開傘操作の後段階において傘を開く操作によってこれらに反発力を蓄え、その反発力によって傘を閉じる際の初動操作を容易にした２段折り畳み傘である。
【００１３】
【発明の実施の形態】
本発明の折り畳み構造とその作動態様を図に基づいて以下に具体的に説明する。各図において（）内に示した数字は傘の開閉操作の手順を表し、傘を開いて行く順に（１）、（２）、…で示す。
図１において、傘軸１０上端の上ロクロ１１を中心に傘骨が連結点Ｐ3を介して放射状に回動可能に設けられており、傘骨は中心から親骨２０及び親骨の親骨先端具２１に連結点Ｐ1を介して回動可能に設けられた折畳み骨４０からなり、傘軸に摺動可能に設けられた下ロクロ１２と親骨とがそれぞれ連結点Ｐ4，Ｐ2を介して支骨３０と回動可能に連結されており、下ロクロの上下摺動操作により、傘骨を開閉させる構造は従来のものと変わらない。
【００１４】
本発明においては、親骨２０の先端部に回動可能に連結した折畳み骨４０を親骨にほぼ平行に配置した駆動骨５０によって回動させることによって、傘を開いて行く際に傘骨の折畳み骨先端に傘布の張力が働くようになる以前に予め折畳み骨を充分に大きな角度に展開させ、上記した傘布の張力により傘の展張が妨げられることを防止すると共に、円滑に開閉できるようにするものである。
【００１５】
図１に、その構造の概略を示すが、親骨先端の親骨先端具２１に連結点Ｐ1を介して回動可能に設けられた折畳み骨の親骨側延長部に連結点Ｑ1を介して駆動骨５０を連結し、これに対して一端を親骨に連結点Ｐ5で回動可能に連結され，他端を支骨に摺動可能に連結された補助骨３３（図４参照）に該駆動骨の他端をＱ2で回動可能に連結してなる。本発明は、この駆動骨を下ロクロの上下摺動操作に伴う支骨の運動に連動させて操作し、折畳み骨の回動角度を制御する。
【００１６】
図１は傘を開閉する際の途中の状態を示すが、上述のようにいわゆる洋傘では、傘を開いて行く過程で露先Ｒに傘布の張力が働いて、露先Ｒと傘軸１０との距離が制限され，このため、上記の張力が作用し始める前に折り畳み骨４０を十分大きく回動させておかないと親骨と折り畳み骨とがＶ字状になって傘を開くことができなくなる。
図１はこのような張力が作用し始める開傘状態を示すものであって、この後、更に傘を開いて行くと上記の張力は折り畳み傘を開いて行くための助力として作用する。このため、後述するように折り畳み骨を押し戻すような反発力を働かせても傘は円滑に開いて図２に示すとおりに展開することができる。
図３（ａ）〜（ｅ）は、親骨２０と折畳み骨４０及び駆動骨５０の連結の態様を示す拡大図であり、折畳み骨の回動動作とその際に作用する上記反発力の形態の一例を示す。親骨２０は、Ｕ字状の断面形状を有して傘を開閉する駆動骨５０をその凹部内に納めて構造をコンパクトにする工夫がなされている。
【００１７】
図３（ａ）〜（ｅ）に基づき折畳み骨の回動動作と上記反発力の効果について説明する。
図３（ａ）に示すように折畳み骨一端には折畳み骨端具４１が設けられており、親骨先端具２１の内側で連結点Ｐ1にて連結され，また、駆動骨５０は折畳み骨端具の内側でＱ１にて折畳み骨端具に連結されている。この構成により、駆動骨の親骨にほぼ平行な駆動操作によってＱ1はＰ1を中心として半円軌道上を回動し、折畳み骨を回動させる。
また、図３（ｃ）に示すように折畳み骨を回動して傘を展開して行くと、親骨先端具２１の先端に当たって図上これ以上時計回りに回動することを阻止されて、親骨と完全に一直線にならないようにされており、傘を閉じる際の初動操作を容易にしている。なお、Ｐ1とＱ1との距離は３〜６ｍｍを想定しているが、これらの条件は傘の寸法・形状により変わるものであるから、設計上この範囲に制約されるものではない。
【００１８】
本例においては駆動骨５０にピアノ線のようなバネ線材を用い、連結点Ｑ1の近傍で図示するように適度に曲げ，ここを駆動骨屈曲部５１とする。折畳み骨端具４１を図３（ｄ）に示すように断面Ｕ字状に形成し、Ｑ1を通る軸を介して駆動骨を連結すると、図３（ｅ）に示すように折畳み骨が一定の回動角度に達したときその端縁部が駆動骨屈曲部近傍に当たる。図３（ｂ）は、図（ｅ）と同一の状態であり、図３（ｂ）の状態から折畳み骨４０を傘が開く方へ（図上時計回りに）回動すると、駆動骨には駆動骨全体が連結点Ｐ1を中心に回転するように力が働き、結果として駆動骨は図３（ｃ）に示すように図上駆動骨屈曲部の左側で緩やかに湾曲して撓むことにより反発力を蓄える。
【００１９】
本発明においては、前記したように傘を開いて行く段階で傘布の張力は折畳み骨を開くための助力として作用するため、図３（ｂ）の状態からさらに傘を開くときは傘布の張力により上記反発力に抗して折畳み骨を回動させて傘を押し開くと共に駆動骨を湾曲せしめて図３（ｃ）の状態に至る。図３（ｃ）は、折畳み骨を展開し、傘が完全に開いた状態である。
また、逆に図３（ｃ）の状態から傘を閉じる際には上記の蓄えられた反発力による復元力が駆動骨の初動操作を助けて一定に角度まで折畳み骨を折り畳む方向に回動させて図３（ｂ）に示す状態に至るため、初動時の上下死点の状態を脱して以後、下ロクロによる円滑な駆動操作が可能となる。
なお、駆動骨に細いバネ線材を用いるときは、駆動操作の過程において不都合な撓みの発生に備えて図１に示すように親骨のＵ字状断面の開放面を覆ってバネ線材の突出を防止する駆動骨保持具２２を付加することが望ましい。
【００２０】
次に図３（ａ）に基づき傘を折り畳んだ状態について説明する。
図３（ａ）の傘を折り畳んだ状態において線分Ｐ1Ｑ1が駆動骨５０に平行なときは、駆動骨に多少力を加えて折畳み骨を図上右側に押しても折畳み骨はいわゆるクランク機構の上下死点に相当するため回動する方向への力は働かず、不安定できちっと折り畳んだ状態を維持することは難しい。
Ｑ1の位置を図上やや下側に設定して線分Ｐ1Ｑ1と駆動骨とが僅かな角度を（５°程度でも）なすように設計すると上記した折畳み骨の安定性に効果があるが、傘を開いたときに図３（ｃ）においてＱ1が図上やや上側に来て今度は傘を閉じる際の駆動骨の作用点が反対側に来ることとなって、大きな障害になる。
【００２１】
本発明は、前記したように傘を開く際に蓄えた駆動骨の反発力を利用して、傘を折り畳む際の初動操作開始時にある一定の角度まで折畳み骨を折り畳む方向に回動させて上下死点から脱するため、上記のようなＱ1の位置設定に余裕を持たせることができる。
駆動骨によって折畳み骨の開傘時の回動角度を大きくする手段は、以下の実施例を示すように、種々の構造をとすることができるが、いずれの構造においても開傘時の上記の傘布の張力による影響を解消できるのであり、また同時に傘布の張力を利用して、開傘時に反発力を蓄えるように駆動骨或いは駆動骨の作動機構或いは別途開傘時の後半の過程で作用するバネなどを組み込んでおくことにより、折り畳み時の初動操作を円滑にすることができる。
【００２２】
【実施例】
以下、図４〜８は、傘を開く過程において露先に傘布の張力が作用するまでに折り畳み骨を十分大きく回動させることを目的とした構造例を示す。上記目的は、一定の親骨回動角（図１において、∠Ｐ1Ｐ3Ｐ4）或いは支骨回動角（図１において、∠Ｐ1Ｐ2Ｐ4）に対して折畳み骨を充分に大きく回動させることによって達成できる。
標準的な２段折り畳み傘においては，親骨回動角が５０°（或いは支骨回動角が１００°）以下で折畳み骨を１４０°以上回動させることが目安になる。もちろん、傘の設計次第で上記目安は緩和できる。
実施例１．
図４は、本発明のこれらの構造例を図示したものである。
親骨２０の支骨３０との連結点Ｐ2から親骨の先端部側に適当な距離を隔てた部位に連結点Ｐ5を設けて、ここに補助骨３３の一端を回動可能に連結し、補助骨の他端を連結点Ｑ3として支骨に回動且つ摺動可能に連結すると共に、上記連結点Ｐ5と連結点Ｑ3との距離を上記連結点Ｐ2と連結点Ｐ5との距離よりも適度に大きく設定してなる補助骨を配置し、該補助骨の適当な部位に連結点Ｑ2を設けてここに駆動骨の一端を回動可能に連結して駆動操作をする。
【００２３】
傘を開く過程で支骨３０は図上（１），（２），（３），（４）の順にＰ2を中心に回動する。
これに伴って、補助骨３３もＱ3を介してＰ5を中心に回動し、Ｑ2に連結された駆動骨５０によって折畳み骨端具のＱ1（図３参照）を駆動操作する。Ｑ1とＱ2の動作を整合したとき、距離Ｐ5Ｑ2は距離Ｐ1Ｑ1（図３参照）にほぼ等しく、Ｑ2の回動角（∠Ｐ1Ｐ5Ｑ2）は、折畳み骨回動角にほぼ等しい。したがって、支骨の回動角に対して折畳み骨の回動角を大きくすることができる。また、傘の折り畳み構造に応じて距離Ｐ5Ｑ3を変えることによってＱ2の回動角を増減することにより、前記目的が達成できることが明らかである。
【００２４】
図４（ｂ）は、補助骨３３の製造例であり、ピアノ線のような線材を加工して実現できる。連結点Ｑ3はその内径を棒状の支骨３０の外径よりも僅かに大きく設定することによって、支骨上を回動し乍ら摺動することができる。
また、駆動骨や補助骨をこれらの細い素材で形成することにより、傘を折り畳んだとき，補助骨を駆動骨と共にＵ字状の親骨の内部に納めることができる。
【００２５】
実施例２．
図５は、さらに他の構造例であって、主支骨３１の一端を下ロクロとの連結点Ｐ4に、主支骨の他端を連結点Ｑ4として副支骨３２の一端に連結し、さらに副支骨の他端を親骨との連結点Ｐ2にそれぞれ回動可能に連結し、或いは、上記連結点Ｑ4において主支骨と副支骨との回動角を制限するように連結し、副支骨の適当な部位に連結点Ｑ2を設けてここに駆動骨の一端を回動可能に連結して駆動操作する構造とする。
副支骨がＰ2を中心に回動するとＱ2に連結された駆動骨５０によってＱ1（図３参照）を介して折畳み骨を駆動操作する。
また、線分Ｐ2Ｐ4を想定して、下ロクロの操作によって該線分Ｐ2Ｐ4がＰ2を中心に回動すると、親骨２０が回動する。傘を開く過程で主支骨はその軸方向にＱ4を押して副支骨を回動させ、図の過程（１）から（２）に至る。このとき、Ｑ4が傘軸（図１の１０）に当たって親骨が僅かに回動するが実質的には折畳み骨だけが一定の角度だけ回動する。
連結点Ｑ4にて主支骨と副支骨との回動角を制限しなければ主支骨が親骨にほぼ平行なまま、副支骨を回動させ、親骨が閉じたまま折畳み骨を開いて行き、その後親骨が回動して傘を開くことになる。
【００２６】
本例は、Ｑ4における主支骨と副支骨との回動角を図中に記入したαからβ間での範囲内に制限したものであり、過程（３）に至り折り畳み骨に対する駆動操作は終了する。過程（３）の後、副支骨は、駆動骨によって回動を阻止され、主支骨だけがＱ4を中心に回動して親骨を回動させ、過程（４）に至って傘を開く操作は完了する。
傘を閉じるときは、上記工程のほぼ逆の順を辿る。本例においては、αの設定角度によって折り畳み骨の回動角をほぼ任意に制限でき、Ｑ2とＱ1の動作が自ずと整合されるため、前記目的は容易に達成できる。本例では、駆動骨を介してＱ2に係る負荷を一定以下に維持させる配慮を要することを付記する。
【００２７】
実施例３．
図６は、さらに他の構造例を示す。
図において、支骨３０と親骨２０との連結点Ｐ2とその近傍に設けた支骨上の連結点Ｑ2及び支骨と下ロクロとの連結点Ｐ4に対し、角Ｐ2Ｑ2Ｐ4が一定の角度をなすように連結して連結点Ｑ2を配置し、ここに駆動骨の一端を回動可能に連結して駆動操作する。
本例は、上記角度をより小さくして駆動操作のタイミングを早め、前記目安に近づけたものである。従って、傘の設計を本構造に適合させることによって、前記目的が達成される。傘を畳んだときに嵩張らないよう距離Ｐ1Ｑ1（図３参照）をできるだけ小さくするのが望ましい。
また、連結点Ｑ2及び駆動骨をＱ2がＰ2を回り込む際にＵ字状の親骨の内部まで回動できるようにすると、傘の設計をコンパクトなものにできる。さらに、本例は後記する伸縮機能を併用することによって、より効果的に折畳み骨を駆動操作できる。
【００２８】
実施例４．
図７，図８（ａ）、（ｂ）にさらに他の構造例を示す。図７の例は、支骨３０のＱ2に駆動骨５０を連結し、Ｑ1（図３参照）を駆動操作する。
支骨３０と親骨２０との連結点Ｐ2の近傍支骨上に連結点Ｑ2を設け、（図７参照）、或いは親骨と上ロクロとの連結点Ｐ3近傍の傘軸上に新たに固定ロクロ１３を配置してこれに連結点Ｑ2を設け（図８参照）、いずれかの上記連結点Ｑ2に駆動骨の一端を回動可能に連結し、上記連結点Ｐ2と連結点Ｑ2との距離或いは上記連結連結点Ｐ3と連結点Ｑ2との距離を適度に大きく設定することにより、駆動操作を増幅して伝達すると共に駆動骨にその両端の距離を伸縮する伸縮機能５２を付加して駆動骨両端の整合性の不都合を補って駆動操作を行う。
【００２９】
図７の構造例は、Ｐ2Ｑ2の間の距離を適度に大きく設定することにより、駆動操作を増幅して折り畳み骨の回動角を任意に制御し、前記目的を達成するものである。この場合、Ｑ1Ｑ2間の距離を一定長に固定すると、Ｑ1Ｑ2の動作を整合できないため、駆動骨に伸縮機能５２を付加し、上記整合性の不都合を補った。
伸縮機能の構造例については後記するが、伸縮機能はその定常長に対し一定以上の張力又は圧力によって必要な長さ伸縮できるものであり、圧力に対して不都合に撓まない構造でなければならない。
【００３０】
図８は上ロクロ１１下部に配置した固定ロクロ１３にＱ2を設けた例で、Ｑ2に駆動骨５０を連結しＱ1（図３参照）を駆動操作する。図８（ｂ）は、図８（ａ）を図式化したもので、基本的には図７と同一であることを示す（Ｐ3がＰ2に対応する）。図８（ｂ）のＱ2の全回動角は７５°程度であり、伸縮機能５２にはより大きな伸縮距離が必要となる。
【００３１】
図９（ａ）〜（ｃ２）は、伸縮機能の構造例を示す。図９（ａ）は、駆動骨にピアノ線のようなバネ線材を用いて連結点Ｑ2近傍を湾曲させたもの５２１である。目安として伸縮距離が１ｍｍ未満の場合に適用でき、図６に示す実施例３の構造と併用するときなどに好都合である。
図９（ｂ）は、駆動骨にピアノ線のようなバネ線材を用いて途中をコイルバネ５２２としたものである。コイル外径を小さくすることにより、バネ定数が小さくなって駆動操作が安定すると共にＵ字状の親骨内部に納めることも可能になる。必要に応じてコイル内部に補強軸を通して不都合な撓みに備えることができる。目安として伸長距離４ｍｍ以下の場合に適用でき、図７に示す構造例に好都合である。
【００３２】
図９（ｃ）は、圧縮バネ５２２を適度に圧縮した状態で２本の駆動骨５０に固着したストッパー５２４間に圧縮コイルバネ５２３として閉じこんだものである。Ｑ1側の駆動骨５０とＱ2側の駆動骨を引っ張るとそれぞれ先端部のストッパーによってバネ５２３は押し縮められ、図９（ｃ１）のようになる。
Ｑ１側の駆動骨とＱ2側の駆動骨を押し合うとそれぞれ途中のストッパーによってバネ５２３はやはり押し縮められ、図９（ｃ１）のようになる。
本例の構造によれば、初動トルクや伸縮距離がほぼ自由に設定でき、駆動骨の伸縮機能としては、万能である。伸縮距離が大きく（１５ｍｍ以上）に設定できるため、折り畳み骨を無理に回した時の故障の防止にも役立つ。本例では、圧縮バネを用いたが引張りバネでも同様の機能を発揮できる。
【００３３】
【発明の効果】
本発明によれば、２段折り畳み傘を開く過程で、特に捌いたり、勢いをつけて開く必要はなく、簡単且つ円滑に傘が開き、親骨と折畳み骨がＶ字状になることはない。
また、傘を閉じる際にも、下ロクロの操作に連動して折り畳み骨が円滑に折り畳まれ、畳んだ状態で折畳み骨がぐらつくこともない。
濡れた面が内側に折り畳まれるため、衣服を濡らすことも少なく、傾向にも便利である。しかも、開閉機構の構造が簡単且つ堅牢で製造も容易であるため、案化で普及を図ることができ、産業上貢献し得るものである。
【図面の簡単な説明】
【図１】本発明の折畳み傘（展開過程）
【図２】本発明の折畳み傘（展開状態）
【図３】（ａ）〜（ｅ）親骨先端部の構造と駆動骨の弾発機構の説明図
【図４】駆動機構の構造例（ａ）、補助骨（ｂ）
【図５】駆動機構の他の構造例
【図６】駆動機構の他の構造例
【図７】駆動機構の他の構造例
【図８】（ａ）〜（ｂ）駆動機構の他の構造例：
【図９】（ａ）〜（ｃ２）駆動機構の構造例に用いる伸縮機構
【図１０】洋傘の展開原理図
【図１１】折り畳み機構図
【符号の説明】
１０  傘軸
１１  上ロクロ
１２  下ロクロ
１３  固定ロクロ
２０  親骨
２１  親骨先端具
２２  駆動骨保持具
３０  支骨
３１  主支骨
３２  副支骨
３３  補助骨
４０  折畳み骨
４１  折畳み骨端具
５０  駆動骨
５１  駆動骨屈曲部
５２  伸縮機能部
５２１  湾曲部
５２２  コイルバネ
５２３  圧縮コイルバネ
５２４  ストッパー
P1  親骨、折畳み骨連結点
P2  親骨、支骨連結点
P3  親骨、上ロクロ
P4  支骨、下ロクロ連結点
P5  親骨、補助骨連結点
Q1  折畳み骨、駆動骨連結点
Q2  駆動骨一端連結点
Q3  支骨、補助骨連結点
Q4  主支骨、副支骨連結点
R  露先
【図１】
0004743675.tif 000002
【図２】
0004743675.tif 000003
【図３】
0004743675.tif 000004
【図４】
0004743675.tif 000005
【図５】
0004743675.tif 000006
【図６】
0004743675.tif 000007
【図７】
0004743675.tif 000008
【図８】
0004743675.tif 000009
【図９】
0004743675.tif 000010
【図１０】
0004743675.tif 000011
【図１１】
0004743675.tif 000012